(57)【特許請求の範囲】
【請求項１】
両端に開口部を有する筒形状を有し、前記筒形状の基端側の開口部において超音波探触子を有する超音波プローブの挿入部に装着可能であり、
前記挿入部に装着された状態において少なくとも前記超音波探触子から送信される超音波が照射される領域の前記超音波の反射率が２５％以下であって、
前記挿入部に装着された状態において、前記超音波探触子から送信される超音波が照射される領域の内面のみが、前記基端側の開口部に向かうにつれて前記超音波探触子に近づくように傾斜しており、
前記内面の前記傾斜は、前記筒形状の厚さが、前記基端側の開口部に向かうにつれて増すことによって形成されていることを特徴とする超音波プローブ用フード。
【請求項２】
前記超音波プローブは、前記超音波探触子が前記挿入部の挿入軸の側方を走査範囲に含むように配設されたものであり、
当該超音波プローブ用フードは、前記挿入部に装着された場合に前記超音波探触子の側方を囲い、
前記内面の前記傾斜の角度は、前記超音波探触子から送信される超音波が当該傾斜において正反射した場合に、前記超音波探触子に返らない角度であることを特徴とする請求項１に記載の超音波プローブ用フード。
【請求項３】
超音波探触子を有する挿入部と、
請求項１又は２に記載の前記超音波プローブ用フードと、を備え、
前記超音波プローブ用フードによって囲われた空間を減圧可能なことを特徴とする超音波プローブ。
【請求項４】
前記超音波探触子は、コンベックス型又はリニア型であることを特徴とする請求項３に記載の超音波プローブ。
【請求項５】
前記挿入部は、前記超音波プローブ用フードにより囲われた空間に連通する少なくとも一つのチャンネルを備えることを特徴とする請求項３又は４に記載の超音波プローブ。
【請求項６】
前記チャンネルを少なくとも二つ有し、
前記チャンネルの少なくとも一つは、処置具を挿通するためのチャンネルであり、
前記チャンネルの少なくとも一つは、吸引のためのチャンネルであることを特徴とする請求項５に記載の超音波プローブ。
【請求項７】
前記挿入部は、光学観察系を備えることを特徴とする請求項３から６のいずれか一項に記載の超音波プローブ。
【発明の詳細な説明】
【技術分野】
【０００１】
本発明は、超音波探触子を有する挿入部を具備してなる超音波プローブと該超音波プローブ用に装着される超音波プローブ用フードに関する。
【背景技術】
【０００２】
生体内の超音波断層像を取得する装置として、体内へ挿入される挿入部に超音波を送受する超音波探触子を具備してなる超音波プローブが用いられている。
【０００３】
このような超音波プローブの一例としては、例えば特許第３５０４３９６号公報に開示されているような、挿入部の先端部に超音波探触子が配設されてなり、該超音波探触子を体内の対象部位に当接させて当該対象部位の超音波断層像を得る超音波内視鏡が知られている。
【特許文献１】特許３５０４３９６号公報
【発明の開示】
【発明が解決しようとする課題】
【０００４】
しかしながら、超音波探触子を体内の対象部位に当接させて当該対象部位の超音波断層像を得る形態の超音波プローブでは、超音波探触子を対象部位に隙間なく当接させるために、超音波探触子を対象部位に押し当てる力を加えると、対象部位の表面状態によってはこの力の作用によって超音波探触子と対象部位との相対的な位置関係が変化してしまうこともあった。
【０００５】
本発明は、上記問題点に鑑みてなされたものであり、超音波探触子を具備してなる超音波プローブにおいて、超音波探触子を対象部位に安定して当接させることを可能とする超音波プローブ用フード及び超音波プローブを提供することを目的とする。
【課題を解決するための手段】
【０００６】
本発明の超音波プローブ用フードは、両端に開口部を有する筒形状を有し、前記筒形状の基端側の開口部において超音波探触子を有する超音波プローブの挿入部に装着可能であり、前記挿入部に装着された状態において少なくとも前記超音波探触子から送信される超音波が照射される領域の前記超音波の反射率が２５％以下であって、前記挿入部に装着された状態において、前記超音波探触子から送信される超音波が照射される領域の内面のみが、前記基端側の開口部に向かうにつれて前記超音波探触子に近づくように傾斜しており、前記内面の前記傾斜は、前記筒形状の厚さが、前記基端側の開口部に向かうにつれて増すことによって形成されていることを特徴とする。
【０００９】
また、本発明の超音波プローブは、超音波探触子を有する挿入部と、前記前記超音波プローブ用フードと、を備え、前記超音波プローブ用フードによって囲われた空間を減圧可能なことを特徴とする。
【発明を実施するための最良の形態】
【００１０】
本発明の超音波プローブ用フード及び超音波プローブの好ましい形態について図面を参照して説明する。なお、以下の説明に用いた各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１１】
（第１の実施形態）  
以下に、本発明の第１の実施形態を説明する。図１は、超音波プローブの全体の構成を説明する図である。図２は、超音波プローブの挿入部の先端部の構成を説明する図である。図３は、第１の実施形態のフード部の形状を説明する図である。図４は、フード部を対象部位に当接させた状態を示す図である。図５は、フード部内に対象部位を吸引した状態を示す図である。
【００１２】
本実施形態の超音波プローブ１は、被検体の所定の部位の超音波断層像を得るために、挿入部２０が被検体の体内に挿入された状態において、超音波探触子２２により超音波を送受するものである。
【００１３】
超音波プローブ１は、図１に示すように、体内に挿入される挿入部２０と、挿入部２０に連設され術者が把持する部位である把持部２とを具備してなる。また、挿入部２０の把持部２が設けられた側とは反対側の先端部２１には、超音波を送受する超音波探触子２２が配設されている。
【００１４】
以下、超音波プローブ１において、把持部２側から挿入部２０の先端部２１側に延在し、かつ挿入部２０に沿う軸を挿入軸と称するものとし、該挿入軸に沿って把持部２から先端部２１に向かう側を先端側、その反対を基端側と称するものとする。
【００１５】
本実施形態では、超音波探触子２２は、一般にコンベックス型と称される形態のものであり、図３に示すように挿入軸を含む平面上において、挿入軸の先端方向から側方にかけての略扇形状の超音波の走査範囲２２ａを有する。
【００１６】
なお、超音波探触子２２の形態は本実施形態のもの限られるものではなく、例えば複数の超音波振動子を平面上において一列に配列したリニア型の形態であってもよい。例えば、リニア型の超音波探触子によっても、いわゆるセクタ走査を行うことによって本実施形態と同様の略扇形状の超音波の走査範囲を得ることが可能である。また、超音波探触子２２の走査範囲の形状及び方向も本実施形態のもの限られるものではないことは言うまでもない。
【００１７】
挿入部２０の先端部２１には、図２に示すように、先端側に開口部１０ａを有し、超音波探触子２２を囲う筒形状のフード部１０が配設されている。フード部１０は、本実施形態では、図１に示すように先端側及び基端側のそれぞれに開口部１０ａ及び開口部１０ｂが形成された筒形状を有し、基端側の開口部１０ｂが挿入部２０の先端部２１の外周面部に嵌合可能な形状を有してなる。
【００１８】
すなわち、本実施形態においては、フード部１０は、超音波プローブ用フードとして、挿入部２０とは別部材として挿入部２０に着脱可能とされたものである。このようにフード部１０が挿入部２０に対して着脱可能に構成されていることにより、超音波プローブ１の洗滌及び消毒を容易に実施することが可能となる。なお、フード部１０は、挿入部２０の先端部２１を構成する部材と一体に形成されるものであってもよい。
【００１９】
フード部１０は、少なくとも超音波探触子２２から送信される超音波が照射される領域、すなわち走査範囲２２ａにかかる領域において、該超音波の反射率が２５％以下となるように構成されていることが好ましい。
【００２０】
フード部１０の超音波の反射率が２５％以下であることによって、フード部１０によって反射された超音波が超音波探触子２２により受信されることによって生じる、被検体の超音波断層像以外の像であるアーチファクトの発生を抑制することができる。
【００２１】
フード部１０を構成する材料は特に限定されるものではないが、フード部１０は、例えば、ポリエチレン、ポリメチルペンテン、シリコンゴム及びナイロン等のうちの一つ又は複数の種類の材料により構成することで、超音波の反射率を２５％以下とすることが可能である。
【００２２】
また、フード部１０の形状は特に限定されるものではないが、例えば、フード部１０の内面において反射された超音波と、フード部１０の外面において反射された超音波とが逆位相となり互いに打ち消しあうように、フード部１０の厚さを超音波探触子２２が送信する超音波の波長の１／４の整数倍とすれば、フード部１０の反射率を低下させることが可能となり好ましい。
【００２３】
また、挿入部２０の先端部２１には、フード部１０によって囲われた空間に連通するチャンネルとして、処置具挿通用チャンネル２４及び吸引用チャンネル２３が形成されている。
【００２４】
処置具挿通用チャンネル２４は、超音波プローブ１の基端側において把持部２に設けられた処置具挿通口４に連通している。該処置具挿通口４に穿刺針等の処置具を挿入することにより、処置具挿通用チャンネル２４を介してフード部１０によって囲われた空間内に、処置具を導出させることが可能である。処置具挿通用チャンネル２４を通じてフード部１０内に導出させた処置具を超音波の走査範囲２２ａ内に誘導できるように、処置具挿通用チャンネル２４が配置されていることが好ましい。
【００２５】
また、吸引用チャンネル２３は、超音波プローブ１の基端側において把持部２に設けられた吸引用コネクタ３に連通している。吸引用コネクタ３には、図示しない吸引装置が接続されており、術者が該吸引装置を作動させることによって、吸引用チャンネル２３を介してフード部１０によって囲われた空間内を減圧する吸引動作が可能である。
【００２６】
また、吸引用チャンネル２３、または処置具層通用チャンネル２４の少なくとも一方は図示しない送気送水装置にも接続されており、本実施形態においては、術者の操作に応じて、吸引用チャンネル２３、または処置具層通用チャンネル２４を介してフード部１０によって囲われた空間内に気体及び液体の少なくとも一方を供給することも可能である。
【００２７】
なお、処置具挿通用チャンネル２４及び吸引用チャンネル２３は、フード部１０によって囲われた空間に連通する一つのチャンネルによって兼用される形態であってもよいし、それぞれが複数形成される形態であってもよい。
【００２８】
以上のように構成された超音波プローブ１によれば、図４に示すように、被検体内の臓器や消化管壁等において例えば病変部９１が存在する対象部位９０にフード部１０の先端側の開口部１０ａを当接させた状態において、吸引用チャンネル２３を介してフード部１０によって囲われた空間内の気体を排出して減圧することによって、図５に示すように対象部位９０をフード部１０によって囲われた空間内に引き込むことができる。
【００２９】
ここで、フード部１０によって囲われた空間内には超音波探触子２２が配設されていることから、本実施形態によれば、対象部位９０を超音波探触子２２に当接させることが可能となり、対象部位９０の超音波断層像による観察を安定して行うことができる。
【００３０】
また、図示しないが、図４に示すように対象部位９０にフード部１０の先端側の開口部１０ａを当接させた状態において、生理食塩水等の超音波媒体を吸引用チャンネル２３を介してフード部１０によって囲われた空間内に送出した後に、フード部１０によって囲われた空間内の気体を排出して減圧するようにすることもできる。
【００３１】
この場合、対象部位９０が変形しづらい部位又は病変により硬化した部位であって、該対象部位９０を減圧だけではフード部１０内に引き込めずに超音波探触子２２に当接させることが困難な場合であっても、フード部１０内に満たされた超音波媒体を介して対象部位９０との超音波の送受が行えるようになるため、より好ましい。
【００３２】
また、超音波探触子２２を対象部位９０に当接させる場合以外にも、例えば穿刺針のような処置具を用いて対象部位９０の病変部９１に対して処置を行う場合に、処置具を対象部位に押し当てる力の作用によって対象部位９０に対する処置具の相対的な位置が変化してしまうことがある。
【００３３】
しかしながら、本実施形態によれば、図５に示すように、病変部９１を含む対象部位９０がフード部１０の中に引き込まれていることを超音波断層像によって確認した後に、処置具挿通用チャンネル２４を介して処置具の一例としての穿刺針３０をフード部１０により囲われた空間内に導出させることによって、対象部位９０と処置具との位置を変化させることなく、安定して処置を行うことができる。
【００３４】
（第２の実施形態）  
以下に、本発明の第２の実施形態を説明する。第２の実施形態は、フード部の形状の別の形態の例を示すものである。図６は、第２の実施形態のフード部の形状を示す図である。図７は、第２の実施形態の変形例のフード部の形状を示す図である。
【００３５】
第２の実施形態は、上述した第１の実施形態に対してフード部の形状が異なる。よって、以下ではこの相違点のみを説明するものとし、また、第１の実施形態と同様の構成要素については同一の符号を付し、その説明を適宜に省略するものとする。
【００３６】
図６に示すように、本実施形態のフード部１１は、少なくとも超音波探触子２２から送信される超音波が照射される領域の内面１１ａが、基端側に向かうにつれて超音波探触子２２に近づくように挿入軸に対して傾斜している。また、フード部１１は、少なくとも超音波探触子２２から送信される超音波が照射される領域の厚さが、基端側に向かって厚くなるように形成されている。
【００３７】
この、フード部１１の内面１１ａの傾斜の角度は、超音波探触子２２から送信された超音波が、内面１１ａで正反射した場合に、超音波探触子２２に返ってくることのない角度であることが好ましい。
【００３８】
このようにフード部１１の内面１１ａに、基端側に向かうにつれて超音波探触子２２に近づく傾斜をもたせることにより、内面１１ａにより反射された超音波が超音波探触子２２により受信されることによって生じる、被検体の超音波断層像以外の像であるアーチファクトの発生を抑制することができる。
【００３９】
また、フード部１１の内面１１ａの傾斜は、フード部１１の当該箇所の厚さを基端側に向かうにつれて内側方向へ厚くすることにより形成されているため、フード部１１の外径が内面１１ａの傾斜を設けるために大きくなってしまうことがない。
【００４０】
なお、フード部の少なくとも超音波探触子２２から送信される超音波が照射される領域の内面を、基端側に向かうにつれて超音波探触子２２に近づくように傾斜させる構成は上述した構成に限られるものではなく、例えば、図７に変形例として示す形態であってもよい。
【００４１】
図７に示す変形例においては、フード部１２は、先端側に向かうにつれて拡開する、いわゆるテーパ状の内面形状を有している。このような形態においても、フード部１２の内面に、基端側に向かうにつれて超音波探触子２２に近づく傾斜をもたせることができ、内面により反射された超音波が超音波探触子２２により受信されることによって生じる、被検体の超音波断層像以外の像であるアーチファクトの発生を抑制することができる。
【００４２】
また、図７に示す変形例によれば、フード部１２の内面は、挿入軸周り全周において同一のテーパ形状を有することから、フード部１２を挿入部２０の先端部２１に装着する場合に、フード部１２の挿入軸周りの回転方向の位置合わせが不要であり、作業が容易となる。
【００４３】
（第３の実施形態）  
以下に、本発明の第３の実施形態を説明する。第３の実施形態は、フード部の形状の別の形態の例を示すものである。図８は、第３の実施形態のフード部の形状を示す図である。図９は、第３の実施形態のフード部により対象部位を吸引した状態を示す図である。
【００４４】
第３の実施形態は、上述した第１の実施形態に対してフード部の形状が異なる。よって、以下ではこの相違点のみを説明するものとし、また、第１の実施形態と同様の構成要素については同一の符号を付し、その説明を適宜に省略するものとする。
【００４５】
図８に示すように、本実施形態のフード部１３は、先端側の開口部１３ａが、挿入軸に対して所定の角度を有する平面１３ｂよって切断された形状を有する。またこれにより、フード部１３の開口部１３ａは、超音波探触子２２から送信される超音波が照射される領域を含むように形成されている。別の言い方をすると、本実施形態のフード部１３は、先端側の開口部が、前記筒形状の側面に対して所定の角度をなす平面によって切断された形状となるように形成されている。
【００４６】
すなわち、本実施形態では、超音波探触子２２の超音波の走査範囲２２ａに、フード部１３がかからないように構成されている。また、フード部１３は先端側に開口部１３ａを具備していることから、上述した第１の実施形態と同様に、対象部位をフード部１３に囲われた空間内に吸引することが可能である。
【００４７】
本実施形態では、このような構成を有することにより、超音波探触子２２の超音波の走査範囲２２ａを遮るものがないことから、上述した第１の実施形態と同様の効果に加えて、より鮮明な超音波断層像を取得することができる。
【００４８】
また、本実施形態においては、フード部１３の先端側の開口部１３ａは、挿入軸に対して所定の角度をなしていることから、図９に示すように、挿入部２０の挿入軸と対象部位９０の壁面とのなす角度が浅い場合においても、対象部位９０をフード部１３に囲われた空間内に容易に吸引することが可能である。このことは、特に超音波プローブ１の位置や姿勢の自由度が低い、食道もしくは腸管などの比較的径の小さい消化管、気管、又は血管等の内壁面を対象部位とした場合に有効である。
【００４９】
（第４の実施形態）  
以下に、本発明の第４の実施形態を説明する。第４の実施形態は、フード部の形状の別の形態の例を示すものである。図１０は、第４の実施形態のフード部の形状を示す図である。図１１は、第４の実施形態のフード部が収縮した状態を示す図である。図１２は、第４の実施形態の変形例のフード部を示す図である。図１３は、第４の実施形態の変形例のフード部が収容された状態を示す図である。
【００５０】
第４の実施形態は、上述した第１の実施形態に対してフード部の形状が異なる。よって、以下ではこの相違点のみを説明するものとし、また、第１の実施形態と同様の構成要素については同一の符号を付し、その説明を適宜に省略するものとする。
【００５１】
図１０及び図１１に示すように、本実施形態のフード部１４は、先端側に開口部１４ａを有する筒形状を有し、かつ挿入軸に沿う方向に収縮可能な構成を有するものである。
【００５２】
フード部１４を収縮可能とする構成は特に限定されるものではないが、本実施形態では一例として、フード部１４を弾性変形可能な樹脂材料により構成し、かつ側面部１４ｂを蛇腹状の形状とすることによって、フード部１４が挿入軸方向に弾性的に収縮するようにしている。なお、フード部は挿入軸方向ではなく、径方向に収縮する形態であってもよい。
【００５３】
本実施形態では、このような構成を有することにより、対象部位９０にフード部１４の先端側の開口部１４ａを当接させた状態で吸引用チャンネル２３を介してフード部１４によって囲われた空間内の気体を排出して減圧することによって、図１１に示すように、フード部１４内に対象部位が引き込まれると共に、フード部１４が挿入軸方向に収縮する。
【００５４】
これにより、対象部位９０が変形しづらい部位又は病変により硬化した部位であっても、超音波探触子２２に対象部位９０を当接させることができる。
【００５５】
また、フード部１４の挿入軸方向の収縮量は、フード部１４によって囲われた空間内の減圧状態に応じて変化することから、適宜に変更可能である。このため、対象部位９０と超音波探触子２２との距離、または対象部位９０と先端部２１との距離を、観察又は処置に最適な値とすることができ、作業性が向上する。
【００５６】
例えば、超音波探触子２２により対象部位９０の観察を行い、病変部９１の詳細な位置を特定した後に、病変部９１と処置具挿通用チャンネル２４との挿入軸に直交する方向についての位置を変化させることなく、対象部位９０と先端部２１との距離を処置具による処置に最適な空間が得られるまで離間させることができる。これによれば、正確かつ容易に処置具を対象部位９０の病変部９１に位置決めすることが可能となる。
【００５７】
なお、フード部を軸方向に収縮させる構成のほかに、図１２及び図１３に示す本実施形態の変形例のように、フード部１５を軸方向に進退移動可能に構成しても同様の効果が得られる。
【００５８】
図１２及び図１３に示す本実施形態の変形例では、挿入部２０の先端部２１の外周に円筒状形状のシリンダ部１５ｂを配設し、フード部１５は、基端側がこのシリンダ部１５ｂの内部において挿入軸方向に摺動可能なピストン部として挿入されている。
【００５９】
そして、フード部１５の基端側とシリンダ部１５ｂとにより閉じられた空間内には、作動流体１５ｃが充填されている。作動流体１５ｃを圧縮性流体とすれば、該作動流体１５ｃはバネとして働くため、フード部を軸方向に収縮させる構成と同様の効果が得られる。
【００６０】
また、上述した実施形態のようにフード部を収縮させる構成に比して、本実施形態の変形例では、フード部１５の進退移動の直進性が良いため、位置決めを確実に行うことができ、作業性が向上するため好ましい。
【００６１】
なお、図１２及び１３に示した本実施形態の変形例において、作動流体１５ｃを圧縮性又は非圧縮性の流体とし、シリンダ部１５ｂの作動流体１５ｃを収容する空間を、挿入部に配設された図示しない配管によって把持部２側に連通させ、シリンダ部１５ｂ内の圧力を制御可能とした構成としてもよい。
【００６２】
このような構成によれば、シリンダ部１５ｂ内の圧力に応じて、フード部１５の挿入軸方向への進出量を変化させることが可能となり、対象部位９０と挿入部２０の先端部２１との位置決めをより精密に行うことが可能となる。
【００６３】
また、超音波プローブ１を被検体内に挿入する時には、シリンダ部１５ｂ内の圧力を減圧することにより、フード部１５を収容して先端部２０の挿入軸方向の長さを短縮させることができるため、挿入時の作業性が向上する。
【００６４】
なお、以上の第１から第４の実施形態では、それぞれ異なる形状のフード部について説明をしたが、これらは超音波プローブの挿入部に対して着脱可能であることから、超音波プローブを使用する部位や処置内容に応じて適宜に交換可能であることは言うまでもない。
【００６５】
（第５の実施形態）  
以下に、本発明の第５の実施形態を説明する。第５の実施形態は、上述した各実施形態のフード部を適用可能な超音波プローブの他の例である。
【００６６】
図１４は、第５の実施形態の超音波プローブの概略構成を示す説明図である。図１５は、第５の実施形態の超音波プローブの挿入部の先端部の構成を示す斜視図である。
【００６７】
第５の実施形態は、上述した第１から第４の実施形態の超音波プローブに対して、挿入部に光学観察系を有する点が異なる。よって、以下ではこの相違点のみを説明するものとし、また、第１の実施形態と同様の構成要素については同一の符号を付し、その説明を適宜に省略するものとする。
【００６８】
本実施形態の超音波プローブ１０１は、被検体の体内に挿入される挿入部１０２と、この挿入部１０２の基端に位置する操作部１０３と、この操作部１０３の側部から延出するユニバーサルコード１０４とで主に構成されている。
【００６９】
前記ユニバーサルコード１０４の基端部には図示しない光源装置に接続される内視鏡コネクタ１０４ａが設けられている。この内視鏡コネクタ１０４ａからは図示しないカメラコントロールユニットに電気コネクタ１０５ａを介して着脱自在に接続される電気ケーブル１０５及び図示しない超音波観測装置に超音波コネクタ１０６ａを介して着脱自在に接続される超音波ケーブル１０６が延出されている。
【００７０】
前記挿入部１０２は、先端側から順に先端部１２０、この先端部１２０の基端側に位置する湾曲自在な湾曲部１０８、この湾曲部１０８の後端に位置して前記操作部１０３の先端部に至る細径かつ長尺で可撓性を有する可撓管部１０９が連設されて構成されている。また、前記先端部１２０の先端側には超音波を送受するための超音波探触子２２が設けられている。
【００７１】
前記操作部１０３には前記湾曲部１０８を所望の方向に湾曲制御するアングルノブ１１１、送気及び送水操作を行うための送気・送水ボタン１１２、吸引操作を行うための吸引ボタン１１３、体内に導入する処置具の入り口となる処置具挿入口１１４等が設けられている。
【００７２】
図１５に示すように、挿入部１０２の先端部１２０には、観察部位に照明光を照射する照明光学部を構成する照明レンズ、及び観察部位の光学像を捉える観察光学部を構成する対物レンズからなる観察光学系１２５が配設されている。
【００７３】
また、第１の実施形態と同様に、先端部には超音波探触子２２が配設されており、該超音波探触子２２を囲う筒形状を有したフード部１２９が設けられている。そして、フード部１２９は、可視光領域の波長の光を所定の透過率で透過する、光透過性の材料によって
構成されている。
【００７４】
また、先端部１２０には、フード部１２９により囲われた空間内に連通した、処置具挿通用チャンネル２４及び吸引用チャンネル２３が形成されている。なお、吸引用チャンネル２３は、処置具を挿通するチャンネルを兼ねるものであってもよい。
【００７５】
このように、本実施形態では、フード部１２９を、光透過性の材料により構成することにより、可視光により体内の観察を行う観察光学系１２５を具備した超音波プローブ１０１においても、上述した実施形態と同様の作用及び効果を得ることが可能となる。また、超音波プローブ１０１に観察光学系１２５を具備させる場合、観察光学系１２５の視野内に処置具挿通路を通過した処置具が入るように、観察光学系１２５と処置具挿通路とが配置されていることが好ましい。
【００７６】
（第６の実施形態）  
上述の第１から第５の実施形態のいずれかに記載の超音波プローブ用フード、または超音波プローブを用いることにより、以下に記載する手技を行うことができる。
【００７７】
図１６に、超音波プローブを用いて体外からアプローチする場合の手技に関するフローを例示する。図１６に示すように本実施の形態は、体表から体腔へ孔をあける段階（Ｓ１）と、体腔にフード付き超音波プローブを挿入する段階（Ｓ２）と、目的部位を探索する段階（Ｓ３）と、目的部位にフード開口部を接触させる段階（Ｓ４）と、フード内を減圧する段階（Ｓ５）と、目的部位を超音波観察する段階（Ｓ６）と、体腔から超音波プローブを抜去する段階（Ｓ７）と、孔を閉じる段階（Ｓ８）と、を少なくとも含む。以下に各段階について詳細を記載する。
【００７８】
（Ｓ１）  
Ｓ１は体表から体腔へ孔をあける段階である。孔を開ける方法としては特に限定されず、従来公知の方法を用いることができ、例えば、メス、または電気メスを用いることができる。また、目的に応じてトロッカーを穿刺して孔を開けてもよい。
【００７９】
段階Ｓ１において孔を開けた後に体腔内に不活性ガスを導入してもよい。目的の観察部位が肺の場合、肋間に孔を開けることが好ましい。
【００８０】
（Ｓ２）  
Ｓ２は体腔にフード付き超音波プローブを挿入する段階である。ここでいうフードとは、上述の第１から第５の実施形態のいずれかに記載の超音波プローブ用フードであり、超音波プローブに対して着脱可能であってもよいし、超音波プローブと一体的に形成されていてもよい。
【００８１】
また、段階Ｓ２において超音波プローブ以外の観察系を体腔内に挿入してもよい。例えば可視光観察、蛍光観察、または赤外観察が可能な内視鏡を挿入してもよい。この場合、段階Ｓ１において超音波プローブ用とは別に、内視鏡用の切開を行ってもよい。
【００８２】
（Ｓ３）  
Ｓ３は目的部位を探索する段階である。目的部位の探索は超音波プローブを用いて行ってもよいし、超音波プローブ以外の観察系を体腔内に挿入した場合にはそちらを用いて行ってもよいし、双方を利用してもよい。
【００８３】
（Ｓ４）  
Ｓ４は目的部位にフード開口部を接触させる段階である。次の段階であるＳ５においてフード内を減圧するため、フード開口部の全周が生体と接触していることが好ましい。
【００８４】
（Ｓ５）  
Ｓ５はフード内を減圧する段階である。フード内を減圧することによりフード内に目的部位を含む生体組織が引き寄せられ、超音波プローブの超音波探触子に目的部位を接触させることができる。フード内を減圧させる方法は特に限定されないが、超音波プローブに送気・送水管路が設けられている場合これを利用することができる。
【００８５】
（Ｓ６）  
Ｓ６は目的部位を超音波観察する段階である。前の段階であるＳ５において、減圧によりフード内に生体組織が引き寄せられているため、超音波観察を安定して行うことができる。また、段階Ｓ６において、フード内に超音波媒体を導入してもよい。該超音波媒体としては特に限定されず、例えば生理食塩水または水などを用いることができる。
【００８６】
また、観察を行いながら処置を行ってもよい。例えば観察をしながら穿刺針を用いて穿刺と組織の採取とを行ってもよいし、穿刺針を用いて薬剤の注入を行ってもよいし、把持鉗子を用いて組織の採取を行ってもよいし、高周波スネアを用いて組織の切り離しを行ってもよい。
【００８７】
（Ｓ７）  
Ｓ７は体腔から超音波プローブを抜去する段階である。
【００８８】
（Ｓ８）  
Ｓ８は孔を閉じる段階である。切開した箇所を閉じる方法としては特に限定されず、従来公知の方法を用いることができる。
【００８９】
図１７に、超音波プローブを用いて管腔内からアプローチする場合の手技の手順に関するフローを示す。図１７に示すように本実施の形態は、体内にフード付き超音波プローブを挿入する段階（ＳＩ）と、目的部位を探索する段階（ＳＩＩ）と、目的部位にフード開口部を接触させる段階（ＳＩＩＩ）と、フード内を減圧する段階（ＳＩＶ）と、目的部位を超音波観察する段階（ＳＶ）と、体内から超音波プローブを抜去する段階（ＳＶＩ）と、を少なくとも含む。以下に各段階について詳細を記載する。
【００９０】
（ＳＩ）  
ＳＩは体内にフード付き超音波プローブを挿入する段階である。ここでいうフードとは、上述の第１から第５の実施形態のいずれかに記載の超音波プローブ用フードであり、超音波プローブに対して着脱可能であってもよいし、超音波プローブと一体的に形成されていてもよい。超音波プローブの挿入経路は特に限定されず、目的の観察部位に応じて、例えば経口または経肛門から選ぶことができる。
【００９１】
（ＳＩＩ）  
ＳＩＩは目的部位を探索する段階である。
【００９２】
（ＳＩＩＩ）  
ＳＩＩＩは目的部位にフード開口部を接触させる段階である。次の段階であるＳＩＶにおいてフード内を減圧するため、フード開口部の全周が生体と接触していることが好ましい。
【００９３】
（ＳＩＶ）  
ＳＩＶはフード内を減圧する段階である。フード内を減圧することによりフード内に目的部位を含む生体組織が引き寄せられ、超音波プローブの超音波探触子に目的部位を接触させることができる。フード内を減圧させる方法は特に限定されないが、超音波プローブに送気・送水管路が設けられている場合これを利用することができる。
【００９４】
（ＳＶ）  
ＳＶは目的部位を超音波観察する段階である。前の段階であるＳＩＶにおいて、減圧によりフード内に生体組織が引き寄せられているため、超音波観察を安定して行うことができる。また、段階ＳＶにおいて、フード内に超音波媒体を導入してもよい。該超音波媒体としては特に限定されず、例えば生理食塩水または水などを用いることができる。
【００９５】
また、観察を行いながら処置を行ってもよい。例えば観察をしながら穿刺針を用いて穿刺と組織の採取とを行ってもよいし、穿刺針を用いて薬剤の注入を行ってもよいし、把持鉗子を用いて組織の採取を行ってもよいし、高周波スネアを用いて組織の切り離しを行ってもよい。
【００９６】
（ＳＶＩ）  
ＳＶＩは体内から超音波プローブを抜去する段階である。
【００９７】
なお、本発明は、上述した実施形態に限られるものではなく、請求の範囲及び明細書全体から読み取れる発明の要旨或いは思想に反しない範囲で適宜変更可能であり、そのような変更を伴う超音波プローブ用フード及び超音波プローブもまた本発明の技術的範囲に含まれるものである。
【図面の簡単な説明】
【００９８】
【図１】超音波プローブの全体の構成を説明する図である。
【図２】超音波プローブの挿入部の先端部の構成を説明する図である。
【図３】第１の実施形態のフード部の形状を説明する図である。
【図４】フード部を対象部位に当接させた状態を示す図である。
【図５】フード部内に対象部位を吸引した状態を示す図である。
【図６】第２の実施形態のフード部の形状を示す図である。
【図７】第２の実施形態の変形例のフード部の形状を示す図である。
【図８】第３の実施形態のフード部の形状を示す図である。
【図９】第３の実施形態のフード部により対象部位を吸引した状態を示す図である。
【図１０】第４の実施形態のフード部の形状を示す図である。
【図１１】第４の実施形態のフード部が収縮した状態を示す図である。
【図１２】第４の実施形態の変形例のフード部を示す図である。
【図１３】第４の実施形態の変形例のフード部が収容された状態を示す図である。
【図１４】第５の実施形態の超音波プローブの概略構成を示す説明図である。
【図１５】第５の実施形態の超音波プローブの挿入部の先端部の構成を示す斜視図である。
【図１６】第６の実施形態を説明するフローチャートである。
【図１７】第６の実施形態を説明するフローチャートである。
【符号の説明】
【００９９】
１    超音波プローブ、
２    把持部、
３    吸引用コネクタ、
４    処置具挿通口、
１０    フード部、
１０ａ    先端側の開口部、
１０ｂ    基端側の開口部、
１１    フード部、
１１ａ    内面、
１２    フード部、
１３    フード部、
１３ａ    開口部、
１３ｂ    平面、
１４    フード部、
１４ａ    開口部、
１４ｂ    側面部、
１５    フード部、
１５ｂ    シリンダ部、
１５ｃ    作動流体、
２０    挿入部、
２１    先端部、
２２    超音波探触子、
２２ａ    走査範囲、
２３    吸引用チャンネル、
２４    処置具挿通用チャンネル、
３０    穿刺針、
９０    対象部位、
９１    病変部
１０１    超音波プローブ、
１０２    挿入部、
１０３    操作部、
１０４    ユニバーサルコード、
１０４ａ    内視鏡コネクタ、
１０５    電気ケーブル、
１０５ａ    電気コネクタ、
１０６    超音波ケーブル、
１０６ａ    超音波コネクタ、
１０８    湾曲部、
１０９    可撓管部、
１１１    アングルノブ、
１１２    送気・送水ボタン、
１１３    吸引ボタン、
１１４    処置具挿入口、
１２０    先端部、
１２５    観察光学系、
１２９    フード部。
【図１】
0005489418.tif 000002
【図２】
0005489418.tif 000003
【図３】
0005489418.tif 000004
【図４】
0005489418.tif 000005
【図５】
0005489418.tif 000006
【図６】
0005489418.tif 000007
【図７】
0005489418.tif 000008
【図８】
0005489418.tif 000009
【図９】
0005489418.tif 000010
【図１０】
0005489418.tif 000011
【図１１】
0005489418.tif 000012
【図１２】
0005489418.tif 000013
【図１３】
0005489418.tif 000014
【図１４】
0005489418.tif 000015
【図１５】
0005489418.tif 000016
【図１６】
0005489418.tif 000017
【図１７】
0005489418.tif 000018